【事件の表示】
　特願２０００−３０３３６４「電子部品実装装置および電子部品実装方法」拒絶査定不服審判事件〔平成１４年　４月１２日出願公開、特開２００２−１１１２８８〕について、次のとおり審決する。
【結　論】
　本件審判の請求は、成り立たない。
【理　由】
１．手続の経緯
　本願は、平成１２年１０月３日の出願であって、平成１７年２月９日付けで拒絶査定がされ、これに対し、同年３月１７日に拒絶査定に対する審判請求がされるとともに、同年４月４日付けで手続補正がされたものである。
　
２．平成１７年４月４日付けの手続補正についての補正却下の決定
【補正却下の決定の結論】
　平成１７年４月４日付けの手続補正（以下、「本件補正」という。）を却下する。
　
【決定の理由】
［１］本件補正の内容
　本件補正のうち、特許請求の範囲に係る補正の内容の一つは、請求項１の「前記吸着ノズルに保持された電子部品の下面と基板との隙間が所定間隔になるように前記上下位置調整手段を制御する制御手段」を、「前記吸着ノズルの下降限において、前記吸着ノズルに保持された電子部品の下面と基板との隙間が所定間隔になるように前記上下位置調整手段を制御する制御手段」と補正するものである。
　
［２］本件補正の適否
　上記補正は、補正前の請求項１に係る発明について、吸着ノズルに保持された電子部品の下面と基板との隙間が所定間隔になるように上下位置調整手段を制御する要件として、「吸着ノズルの下降限において」との事項を追加して、この発明を特定するために必要な事項を限定するものであって、発明の産業上の利用分野及び解決しようとする課題が同一であるから、特許法第１７条の２第４項第２号に掲げる特許請求の範囲の減縮を目的とするものに該当する。
　そこで、本件補正後の請求項１に記載された発明が特許出願の際独立して特許を受けることができるものであるか（特許法第１７条の２第５項において準用する同法第１２６条第５項の規定に適合するか）について以下に検討する。
　
〈独立特許要件について〉
［２−１］本願補正発明
　本件補正後の発明は、補正後の明細書の特許請求の範囲の請求項１〜２に記載されたものであるところ、その請求項１に係る発明（以下、「本願補正発明」という。）は次のとおりのものである。
　
「【請求項１】移載ヘッドによって電子部品の供給部から電子部品をピックアップし、半田が塗布された基板に実装する電子部品実装装置であって、前記移載ヘッドに備えられた吸着ノズルによって吸着保持された状態の電子部品の下面の高さ位置を計測する高さ位置計測手段と、前記基板の前記吸着ノズルに保持された電子部品に対する相対的な上下位置を調整する上下位置調整手段と、前記高さ位置計測結果に基づいて、前記吸着ノズルの下降限において、前記吸着ノズルに保持された電子部品の下面と基板との隙間が所定間隔になるように前記上下位置調整手段を制御する制御手段とを備えたことを特徴とする電子部品実装装置。」
　
［２−２］引用例及び引用例の主な記載事項
　原査定の拒絶の理由に引用された実願平５−２１０７５号（実開平６−７９１９９号）のＣＤ−ＲＯＭ（以下、「引用例」という。）には、次の事項が記載されている。
　
（１ａ）「図１において、（１）はチップ状電子部品（２）をプリント基板（３）に装着する電子部品自動装着装置である。（４）（５）は前記基板（３）を搬送させるための一対のコンベアである。（６）は吸着ノズル（７）を有する吸着ヘッド部であり図示しない吸着ヘッド部駆動部の駆動によりＸＹ方向に移動される。即ち、Ｘ軸方向ガイド体（８）に沿って図示しないＸ方向駆動源によりＸ方向に移動可能であり、また前記ガイド体（８）は図示しないＹ方向駆動源によりＹ軸方向ガイド体（９）（１０）に沿って移動可能である。（１２）はテープ（１３）に等間隔に封入して収納された電子部品（２）を１ピッチずつ送るテープフィーダユニットである。前記吸着ノズル（７）は該部品（２）を取出し前記プリント基板（３）に装着するものである。（１５）は吸着ノズル（７）に取り出され吸着された部品（２）の下端の高さレベルを検出するための部品レベル検出装置である。吸着ノズル（７）は吸着ヘッド部（６）に対して部品（２）の吸着及び装着のため上下動可能であるが、吸着ヘッド部（６）に設けられたノズル上下動装置（１６）について、図３に基づいて説明する。吸着ノズル（７）はノズル取り付け体（１７）に取り付けられ、該取り付け体（１７）はナット部（１８）を介してネジ軸（１９）に嵌合し、上下動モータ（２０）の駆動により駆動プーリ（２１）、ベルト（２２）及び従動プーリ（２３）を介して該ネジ軸（１９）が回動することによりガイド（２４）に沿って上下動可能になされており、その結果吸着ノズル（７）が上下動可能になされている。吸着ノズル（７）は、モータ（２０）の回動により下降して部品（２）が基板（３）に当接してからさらに取り付け体（１７）が下降しても上方に逃げかつ適度な押し付け力を部品（２）に与えられるように図示しないバネを介して取り付け体（１７）に取り付けられている。」（【０００７】〜【００１１】）
（１ｂ）「以上の構成により以下動作について説明する。先ず、図５のＮＣデータに従って、吸着ヘッド部（６）がＸＹ方向に移動しステップ番号「１」の部品品種「Ｒ１」の部品（２）をテープフィーダユニット（１２）から取り出す。このときモータ（２０）が回動して吸着ノズル（７）が下降してテープ（１３）より部品（２）を取り出す。次に、吸着ヘッド部（６）がＸＹ方向に移動して部品レベル検出装置（１５）の位置に達し、図２に示されるように発光部（２５）の光を遮光する位置で停止する。部品（２）及び吸着ノズル（７）に遮光されない光はラインセンサ（２６）に受光され、その光の一番上の位置が部品（２）の下端レベルとして検出される。該レベルはＣＰＵ（２８）により基板（３）からのレベルとして「Ｌ１」であることが把握されるものとする。次に、吸着ヘッド部（６）が移動して吸着ノズル（７）がＮＣデータに示されるプリント基板（３）の装着位置に停止する。このときには基板（３）とノズル（７）に吸着された部品（２）の位置関係は図３に示される。次に、ＣＰＵ（２８）は検出された部品下端のレベル「Ｌ１」にＲＡＭ（２９）に記憶されている押し込み量「Ｄ」を加えた「Ｌ１＋Ｄ」を算出し、該即ストローク吸着ノズル（７）が下降するようモータ（２０）を回動させる。従って、吸着ノズル（７）は下降し「Ｌ１」下降した位置で部品（２）の下端が基板（３）に当接し、さらに「Ｄ」ノズル取り付け体（１８）が下降することにより図示しないバネによる押し込み力が部品（２）に作用して適正に部品（２）の装着が行われる。」（【００１６】〜【００１８】）
　
［２−３］当審の判断
（１）引用例に記載された発明
　引用例の（１ａ）の「（１）はチップ状電子部品（２）をプリント基板（３）に装着する電子部品自動装着装置である。・・・（６）は吸着ノズル（７）を有する吸着ヘッド部であり図示しない吸着ヘッド部駆動部の駆動によりＸＹ方向に移動される。・・・（１２）はテープ（１３）に等間隔に封入して収納された電子部品（２）を１ピッチずつ送るテープフィーダユニットである。前記吸着ノズル（７）は該部品（２）を取出し前記プリント基板（３）に装着するものである。」という記載によれば、吸着ヘッド部（６）は吸着ノズル（７）を有し、吸着ノズル（７）は、テープフィーダユニット（１２）に収納された電子部品（２）を取り出し、プリント基板に装着するのであるから、引用例には、吸着ヘッド部（６）によってテープフィーダユニット（１２）から電子部品（２）を取出し、プリント基板（３）に装着する電子部品自動装着装置（１）が記載されているといえる。
　また、（１ａ）には「（１５）は吸着ノズル（７）に取り出され吸着された部品（２）の下端の高さレベルを検出するための部品レベル検出装置である。」と記載されており、一方、吸着ノズル（７）は吸着ヘッド部（６）に備えられているのであるから、引用例には、吸着ヘッド部（６）に備えられた吸着ノズル（７）によって吸着保持された状態の電子部品（２）の下端の高さレベルを検出する部品レベル検出装置（１５）が記載されているといえる。
　そして、（１ａ）の「吸着ノズル（７）は吸着ヘッド部（６）に対して部品（２）の吸着及び装着のため上下動可能であるが、・・・吸着ノズル（７）は・・・上下動モータ（２０）の駆動により・・・上下動可能になされており、・・・吸着ノズル（７）は、モータ（２０）の回動により下降して部品（２）が基板（３）に当接し」という記載によれば、モータ（２０）の駆動により上下動可能な吸着ノズル（７）に、吸着された電子部品（２）は、下降してプリント基板（３）に当接するのであるから、プリント基板（３）と電子部品（２）は相対的な上下位置をモータ（２０）により調整されているといえ、引用例には、プリント基板（３）の吸着ノズル（７）に吸着された電子部品（２）に対する相対的な上下位置を調整するモータ（２０）が記載されているといえる。
　さらに、（１ｂ）の「吸着ヘッド部（６）が・・・部品レベル検出装置（１５）の位置に達し・・・部品（２）の下端レベルとして検出される。該レベルはＣＰＵ（２８）により基板（３）からのレベルとして「Ｌ１」であることが把握されるものとする。・・・ＣＰＵ（２８）は検出された部品下端のレベル「Ｌ１」に・・・押し込み量「Ｄ」を加えた「Ｌ１＋Ｄ」を算出し、該即ストローク吸着ノズル（７）が下降するようモータ（２０）を回動させる。」という記載によれば、ＣＰＵ（２８）は、部品レベル検出装置(１５）により検出された部品下端のレベル「Ｌ１」に基づいて吸着ノズル（７）が下降するようにモータを回動させるのであるから、引用例には、部品下端レベルの検出結果に基づいて、吸着ノズル（７）が下降するようにモータ（２０）を回動させるＣＰＵ（２８）が記載されているといえる。
　以上の記載及び認定事項を、本願補正発明の記載ぶりに則り整理すると、引用例には次の発明（以下、「引用発明」という。）が記載されているといえる。
　『吸着ヘッド部によってテープフィーダユニットから電子部品を取出し、プリント基板に装着する電子部品自動装着装置であって、前記吸着ヘッド部に備えられた吸着ノズルによって吸着保持された状態の電子部品の下端の高さレベルを検出する部品レベル検出装置と、前記プリント基板の前記吸着ノズルに吸着された電子部品に対する相対的な上下位置を調整するモータと、前記部品下端レベルの検出結果に基づいて、前記吸着ノズルが下降するようにモータを回動させるＣＰＵと、を備えた電子部品自動装着装置。』
　
（２）本願補正発明と引用発明との対比
　本願補正発明と引用発明とを対比する。
　引用発明の『吸着ヘッド部』、『テープフィーダユニット』、『電子部品』、『取出し』、『プリント基板』、『電子部品自動装着装置』、『吸着ノズル』、『下端』及び『高さレベルを検出する部品レベル検出装置』は、それぞれ本願補正発明の「移載ヘッド」、「電子部品の供給部」、「電子部品」、「ピックアップ」、「基板」、「電子部品実装装置」、「吸着ノズル」、「下面」及び「高さ位置を計測する高さ位置計測手段」に相当する。また、基板と電子部品との上下位置を調整するという点で、引用発明の『モータ』は、本願補正発明の「上下位置調整手段」に相当し、そして、「上下位置調整手段（『モータ』）」を制御するという点で、引用発明の『ＣＰＵ』は、本願補正発明の「制御手段」に相当するといえる。
　してみると、両者は、「移載ヘッドによって電子部品の供給部から電子部品をピックアップし、基板に実装する電子部品実装装置であって、前記移載ヘッドに備えられた吸着ノズルによって吸着保持された状態の電子部品の下面の高さ位置を計測する高さ位置計測手段と、前記基板の前記吸着ノズルに保持された電子部品に対する相対的な上下位置を調整する上下位置調整手段と、前記高さ位置計測結果に基づいて、前記上下位置調整手段を制御する制御手段とを備えた電子部品実装装置」の点で一致し、次の点で相違する。
　
　相違点：本願補正発明では、電子部品を実装する基板が、半田が塗布された基板であり、吸着ノズルの下降限において、前記吸着ノズルに保持された電子部品の下面と基板との隙間が所定間隔になるように、制御手段が上下位置調整手段を制御するのに対して、引用発明では、電子部品を実装する基板に、半田が塗布されているか否か不明であり、吸着ノズルの下降限において、前記吸着ノズルに保持された電子部品の下面と基板との隙間が所定間隔になるように、制御手段が上下位置調整手段を制御するか否か不明である点
　
（３）相違点についての判断
　上記相違点について検討する。
　電子部品実装装置の技術分野において、吸着ノズルに保持された電子部品を半田に対して適正に押圧するため、電子部品の下面と基板とに所定の隙間が存在する状態で、電子部品を半田が塗布された基板に実装することは、本願出願前に周知の技術であると認められる（例えば、特開平３−４６００号公報（特に、第５図及びその関連箇所）、特開平７−２８３５９３号公報（特に、図３及びその関連箇所、【００１７】）を参照）。一方、電子部品と基板との間隔は、吸着ノズルの下降限の状態で、決定されるものであるから、吸着ノズルが下降限に位置するときに、吸着ノズルに保持された電子部品の下面と基板との隙間が所定間隔となるように吸着ノズルの上下位置を制御すべきことは、当業者にとって明らかであるといえる。
　そうすると、引用発明において、半田が塗布された基板を使用し、電子部品を半田に対して適正に押圧するために、吸着ノズルの下降限において、前記吸着ノズルに保持された電子部品の下面と基板との隙間を所定間隔になるように、制御部が上下位置調整手段を制御することは、使用する基板の態様に応じて、当業者が容易に想到することができたものといえる。
　よって、相違点は容易になし得たことである。
　
（４）小括
　したがって、本願補正発明は、引用発明及び周知技術に基づいて当業者が容易に発明をすることができたものであるから、特許法第２９条第２項の規定により特許出願の際独立して特許を受けることができないものである。
　
［２−４］むすび
　以上のとおり、本件補正は、特許法第１７条の２第５項で準用する同法第１２６条第５項の規定に違反するものであり、同法第１５９条第１項で準用する同法第５３条第１項の規定により却下されるべきものである。 
　
３．本願発明についての審決
［１］本願発明
　平成１７年４月４日付けの手続補正は上記のとおり却下されたので、本願発明は、同年１月１８日付けの手続補正により補正された明細書の特許請求の範囲の請求項１〜２に記載されたものであるところ、その請求項１に係る発明（以下、「本願発明」という。）は次のとおりである。
「【請求項１】移載ヘッドによって電子部品の供給部から電子部品をピックアップし、半田が塗布された基板に実装する電子部品実装装置であって、前記移載ヘッドに備えられた吸着ノズルによって吸着保持された状態の電子部品の下面の高さ位置を計測する高さ位置計測手段と、前記基板の前記吸着ノズルに保持された電子部品に対する相対的な上下位置を調整する上下位置調整手段と、前記高さ位置計測結果に基づいて、前記吸着ノズルに保持された電子部品の下面と基板との隙間が所定間隔になるように前記上下位置調整手段を制御する制御手段とを備えたことを特徴とする電子部品実装装置。」
　
［２］原査定の理由の概要
　原審の拒絶査定の理由の概要は、本願発明は、その出願前日本国内又は外国において頒布された下記１〜２の刊行物に記載された発明に基づいて当業者が容易に発明をすることができたものであるから、特許法第２９条第２項の規定により特許を受けることができない、というものである。
　　　　　　　　　　　　　　　記
　１．実願平５−２１０７５号（実開平６−７９１９９号）のＣＤ−ＲＯＭ
　２．特開平１１−２２０２９８号
　
［３］引用例及び引用例の記載事項
　原査定の拒絶の理由に引用された実願平５−２１０７５号（実開平６−７９１９９号）のＣＤ−ＲＯＭ（引用例）及びその主な記載事項は、上記２．［２−２］に記載したとおりである。
　
［４］当審の判断
　上記２．［２−１］の本願補正発明は、本願発明の吸着ノズルに保持された電子部品の下面と基板との隙間が所定間隔になるように上下位置調整手段を制御する要件として、「吸着ノズルの下降限において」との事項を追加することにより、発明を特定するために必要な事項をより狭い範囲に限定したものである。
　このように発明を特定するために必要な事項をより狭い範囲に限定した本願補正発明が、当業者が容易に発明をすることができたものであると認められる以上、本願発明も、上記２．［２−３］に記載したものと同様の理由により、引用発明及び周知技術に基づいて当業者が容易に発明をすることができたものである。
　
［５］むすび
　以上のとおり、本願発明は、特許法第２９条第２項の規定により特許を受けることができないものであるから、その余の発明について検討するまでもなく、本願は、拒絶すべきものである。
　よって、結論のとおり審決する。